(57)【要約】【課題】カバーの種別を識別するための識別手段を低コストで設けることができるとともに、カバーの種別の管理を容易に行うことができ、しかも、外観が損なわれるのを抑制することができるカバーを備えたヘッドレストを提供する。【解決手段】カバー１１の底面に形成されたステー孔１１ａからヘッドレストステー１２の二本の脚部１２ｂを突出させる。カバー１１の内部にスリット状の開口１１ｂから発泡合成樹脂原料を注入してクッション材１３を発泡成形する。前記カバー１１の底面に該カバー１１の種別を識別するための識別用ステッチ２５を予め施す。【選択図】図１
2008029741.tif 000002
【特許請求の範囲】
【請求項１】
内部にクッション材を収容可能に構成した袋状のカバーにおいて、カバーの種別を識別するための識別用ステッチを設けたことを特徴とする袋状のカバー。
【請求項２】
請求項１において、前記カバーには、内側に折曲された一対の開口形成片により発泡合成樹脂原料の注入用のスリット状の開口が形成され、前記識別用ステッチは、前記開口形成片と該形成片に折曲部を介して繋がるカバーの外表面とに亘って施されていることを特徴とする袋状のカバー。
【請求項３】
請求項２において、前記識別用ステッチの末端は前記開口形成片の幅方向の途中に設定されていることを特徴とする袋状のカバー。
【請求項４】
請求項１〜３のいずれか一項において、前記カバーの裏面には前記識別用ステッチの針孔を遮蔽するための針孔遮蔽手段が設けられていることを特徴とする袋状のカバー。
【請求項５】
請求項４において、前記針孔遮蔽手段は遮蔽用粘着シートであることを特徴とする袋状のカバー。
【請求項６】
請求項１〜５のいずれか一項に記載の袋状のカバーの内部にクッション材を収容したことを特徴とする袋状のカバーを備えた成形品。
【請求項７】
請求項６において、前記クッション材は、前記カバーを成形型にセットするとともに、カバーに形成されたスリット状の開口から発泡合成樹脂原料を注入して発泡成形したものであることを特徴とする袋状のカバーを備えた成形品。
【請求項８】
請求項６又は７において、前記識別用ステッチは、成形品の組付け状態において隠れる部位に形成されていることを特徴とする袋状のカバーを備えた成形品。
【請求項９】
請求項６において、前記カバーの内部には該カバーの外部に突出された二本の脚部を有するヘッドレストステーの基端部がクッション材とともに収容されていることを特徴とする袋状のカバーを備えたヘッドレスト。
【請求項１０】
請求項９において、前記識別用ステッチはヘッドレストステーの脚部の間におけるカバーの底部に設けられていることを特徴とする袋状のカバーを備えたヘッドレスト。
【発明の詳細な説明】
【技術分野】
【０００１】
本発明は、例えば自動車の座席シート用のヘッドレスト、アームレストあるいはシートバック等の袋状のカバー、カバーを備えた成形品及びヘッドレストに関する。
【背景技術】
【０００２】
例えば、自動車の座席シートのヘッドレストとして、特許文献１に開示されたものが提案されている。このヘッドレストのトリムカバーは、複数の所定形状に裁断された生地を接ぎ合わせて袋状に縫製されている。
【０００３】
このようなヘッドレストにおいて、同一デザインであっても、例えば、カバーの表皮層に対し抗アレルギー性機能を付与するような処理を施す仕様と、施さない仕様とを用意する場合がある。
【特許文献１】特開２００２−１６５６７０号公報
【発明の開示】
【発明が解決しようとする課題】
【０００４】
ところが、前記のような処理は、形状及び色彩が殆ど変化しないので、表面処理が行われたか否かを肉眼で見分けることが非常に難しくなる。このため、製造、在庫及び出荷の各過程におけるカバー単体及びヘッドレストの種別の管理が難しい。例えば、自動車の座席シートのバックシートへのヘッドレストの組み付け工程において、ヘッドレストの仕様の取り違えが発生し、誤組み付けが起きるおそれがあるという問題があった。
【０００５】
上記の問題を解消するため、ヘッドレストのカバーの表面に仕様の種別を識別するための識別ラベルを貼着することもできるが、識別ラベルを製造する工程と、この識別ラベルをカバーに取り付ける工程とが必要となるので、製造コストのアップに直結する上に、識別ラベルが目に付き易いので、ヘッドレストの外観を損なうという問題もある。
【０００６】
上記の問題は、座席シートのシートバックや座席シートの側部に設けられたアームレスト等のカバーの内部にクッション材及びインサート部材を収容した各種の成形品にも同様に生じる問題である。
【０００７】
本発明の目的は上記の従来の技術に存する問題点を解消して、カバーの種別を識別するための識別手段を低コストで設けることができるとともに、カバーの種別の管理を容易に行うことができ、しかも、外観が損なわれるのを抑制することができる袋状のカバー、カバーを備えた成形品及びヘッドレストを提供することにある。
【課題を解決するための手段】
【０００８】
上記問題点を解決するために、請求項１に記載の発明は、内部にクッション材を収容可能に構成した袋状のカバーにおいて、カバーの種別を識別するための識別用ステッチを設けたことを要旨とする。
【０００９】
請求項２に記載の発明は、請求項１において、前記カバーには、内側に折曲された一対の開口形成片により発泡合成樹脂原料の注入用のスリット状の開口が形成され、前記識別用ステッチは、前記開口形成片と該形成片に折曲部を介して繋がるカバーの外表面とに亘って施されていることを要旨とする。
【００１０】
請求項３に記載の発明は、請求項２において、前記識別用ステッチの末端は前記開口形成片の幅方向の途中に設定されていることを要旨とする。
請求項４に記載の発明は、請求項１〜３のいずれか一項において、前記カバーの裏面には前記識別用ステッチの針孔を遮蔽するための針孔遮蔽手段が設けられていることを要旨とする。
【００１１】
請求項５に記載の発明は、請求項４において、前記針孔遮蔽手段は遮蔽用粘着シートであることを要旨とする。
請求項６に記載の発明は、請求項１〜５のいずれか一項に記載の袋状のカバーの内部にクッション材を収容したことを要旨とする。
【００１２】
請求項７に記載の発明は、請求項６において、前記クッション材は、前記カバーを成形型にセットするとともに、カバーに形成されたスリット状の開口から発泡合成樹脂原料を注入して発泡成形したものであることを要旨とする。
【００１３】
請求項８に記載の発明は、請求項６又は７において、前記識別用ステッチは、成形品の組付け状態において隠れる部位に形成されていることを要旨とする。
請求項９に記載の発明は、請求項６において、前記カバーの内部には該カバーの外部に突出された二本の脚部を有するヘッドレストステーの基端部がクッション材とともに収容されていることを要旨とする。
【００１４】
請求項１０に記載の発明は、請求項９において、前記識別用ステッチはヘッドレストステーの脚部の間におけるカバーの底部に設けられていることを要旨とする。
（作用）
請求項１に記載の発明は、前記カバーに対しカバーの種別を表す識別用ステッチが袋状のカバーを製造する縫製工程の前、後又はその途中に施されるので、識別ラベルを取り付ける構成と比較して、材料コスト及び製造コストを低減することができる。又、識別用ステッチによりカバーの種別の管理が容易となる。さらに、識別用ステッチは、識別糸が表れるのみであるため、カバーの外観が損なわれるのを抑制することができる。
【００１５】
請求項２に記載の発明は、前記識別用ステッチが前記開口形成片と該形成片に折曲部を介して繋がるカバーの外表面とに亘って施されているので、ステッチの始端と終端をカバーの外部に露出しないようにすることができ、両端の解れが生じ難くなるとともに、ステッチの外観を向上することができる。
【００１６】
請求項３に記載の発明は、前記識別用ステッチの末端は前記開口形成片の幅方向の途中まで形成されているので、前記両開口形成片の途中から先端縁までの間の前記識別用ステッチが形成されていない接触界面には識別用ステッチを形成する識別糸のカバーの表面への食い込みによる溝が生じない。このため、前記カバーが成形型にセットされ、カバーの内部に前記開口から発泡合成樹脂原料が注入されて該発泡合成樹脂原料によりクッション材が発泡成形される場合に、前記両開口形成片のステッチが形成されていない部分が発泡合成樹脂原料により互いに圧接されてスリット状の開口が閉塞され、発泡合成樹脂原料がカバーの外部に漏出するのが防止される。
【００１７】
請求項４に記載の発明は、前記カバーの裏面には前記識別用ステッチの縫着工程において、該カバー片に縫針により形成された針孔が針孔遮蔽手段により遮蔽されるので、前述したクッション材が発泡成形される場合に、前記針孔に残された隙間から発泡合成樹脂原料が漏出するのが防止される。
【００１８】
請求項５に記載の発明は、前記針孔遮蔽手段が遮蔽用粘着シートであるため、コストを低減することができるとともに、粘着シートの装着を容易に行うことができる。
【発明の効果】
【００１９】
請求項１〜５のいずれか一項に記載のカバーの発明によれば、材料コスト及び製造コストを低減することができるとともに、カバーの種別の管理を容易に行うことができ、さらに、カバーの外観が損なわれるのを抑制することができる。
【００２０】
請求項６〜８のいずれか一項に記載のカバーを備えた成形品の発明によれば、被取付部材に対する成形品の誤組み付けを防止することができる。
請求項７に記載の発明は、前記識別用ステッチが被取付部材へ成形品を取付けた状態で隠れる部位に形成されているので、カバーの外観が損なわれるのを防止することができる。
【００２１】
請求項９又は１０に記載のヘッドレストの発明によれば、自動車のバックシートに対するヘッドレストの誤組み付けを防止することができる。
【発明を実施するための最良の形態】
【００２２】
以下、本発明を成形品としてのヘッドレストのカバー及びヘッドレストに具体化した一実施形態を図１〜図４に従って説明する。
図１に示すように、この実施形態の車両用座席シートに装着されるヘッドレストは袋状のヘッドレストカバー１１と、該カバー１１の内部に基端部１２ａを収容し、かつカバー１１の底面に形成された二つのステー孔１１ａから二本の脚部１２ｂを外部に突出させたヘッドレストステー１２と、ヘッドレストステー１２の内部に収容されたクッション材１３とにより構成されている。前記クッション材１３は前記カバー１１の底面に形成されたスリット状の開口１１ｂから該カバー１１の内部に注入された発泡合成樹脂原料が発泡成形されたものである。
【００２３】
前記カバー１１は、図２に示すように、搭乗者の後頭部を受ける前面１４ａ及び前側底面１４ｂを形成する第１カバー片１４と、背面１５ａ及び左右両側面１５ｂを形成する第２カバー片１５と、後側底面１６ａを形成する第３カバー片１６とのそれぞれの周縁の縫い代を、図３及び図４に示す縫着糸１７により縫着して全体として袋状に形成されている。図２に示すように前記第１カバー片１４の前側底面１４ｂの後端縁には、開口形成片１４ｃが形成されるとともに、第３カバー片１６の前端縁には、前記開口形成片１４ｃと対応するように開口形成片１６ｂが形成されている。そして、前記両開口形成片１４ｃ，１６ｂの両端縁を図３に示す縫着糸１８により縫着し、両開口形成片１４ｃ，１６ｂの間にスリット状の開口１１ｂを形成している。
【００２４】
前記カバー１１を製造する際には、各カバー片１４〜１６の表裏が逆となる状態で縫着作業が行われ、前記開口１１ｂを利用して、裏返し状態のカバー１１が反転される。
前記第１〜第３カバー片１４〜１６を構成する生地は、図４に示すようにファブリック等で構成される表皮層２１と、その表皮層２１の内側に積層された例えばポリウレタンフォームで構成されたスラブよりなる中間層２２とを備えている。また、中間層２２の内側には、後述するクッション材１３の成形工程において、開口１１ｂからカバー１１の内部に注入された発泡合成樹脂原料１３ａが中間層２２及び表皮層２１に浸透することを防止するためのポリウレタンよりなる薄膜状のフィルム層２３が貼着されている。
【００２５】
次に、この発明の要部構成について説明する。
カバー１１は表面処理を施した仕様と施していない仕様とが用意されている。そして、表面処理を施した仕様のカバー１１のみに識別用ステッチ２５が施されている。なお、表面処理が施されていない仕様のカバー１１のみに識別用ステッチ２５を施してもよい。前記表面処理としては、例えば抗アレルギー表面処理があり、この表面処理は肉眼による識別が困難であるために、前記識別用ステッチ２５が設けられている。即ち、図２に示すように前記第３カバー片１６の後側底面１６ａ及び開口形成片１６ｂには、識別用ステッチ２５が施されている。この識別用ステッチ２５は、全体で扁平Ｕ字状に形成されており、縫い始め端（始端）２５ａ及び縫い終り端（終端）２５ｂは、図２，３に示すように開口形成片１６ｂの幅Ｗ方向の途中に設定されている。
【００２６】
前記識別用ステッチ２５を形成する識別糸として、表皮層２１の色彩と異なる色彩のものを用いることが好ましい。第３カバー片１６の後側底面１６ａの裏面には、縫い針が第３カバー片１６を貫通する際に形成される針孔の隙間を遮蔽するための針孔遮蔽手段としての粘着剤を塗布した遮蔽用粘着シート２６が貼着されている。
【００２７】
次に、前記クッション材１３は、以下のように成形される。
即ち、図４に示すようにヘッドレストステー１２を装着したカバー１１を開口１１ｂを上向きにした状態で下型３１，３２にセットするとともに、上型３３に、ヘッドレストステー１２を保持させる。この状態において、上型３３に形成した図示しない注入口から開口１１ｂに挿入したノズルを介してカバー１１の内側に発泡合成樹脂原料１３ａを注入し、発泡させる。このようにして、クッション材１３が発泡成形される。
【００２８】
上記実施形態のヘッドレストのカバー１１によれば、以下のような効果を得ることができる。
（１）上記実施形態では、第３カバー片１６の後側底面１６ａに対し、カバー１１の表皮層２１に仕様の相違を示す識別用ステッチ２５を施した。このため、肉眼により表皮層２１の仕様の識別が困難であっても前記識別用ステッチ２５の有無によってカバー１１の仕様を容易に識別することができる。従って、在庫、運搬及び組み付け工程等におけるカバー１１及びヘッドレストの種別の管理を容易に、かつ誤りなく行うことができて、ヘッドレストの誤組み付け等を防止することができる。
【００２９】
（２）上記実施形態では、識別用ステッチ２５は各カバー片１４，１５，１６の縫い付けのための縫製時に施すことができるため、手間がかかず、簡単に施すことができ、部品点数も増えないので、コストアップを抑制することができる。
【００３０】
（３）上記実施形態では、第３カバー片１６の後側底面１６ａに識別用ステッチ２５を設けたので、シートバックに対しヘッドレストを組み付けた使用状態で、識別用ステッチ２５を目立ち難くするこができ、従って、ヘッドレストの外観が損なわれるのを抑制することができる。
【００３１】
（４）上記実施形態では、識別用ステッチ２５の始端２５ａ及び終端２５ｂを開口形成片１６ｂに形成し、識別用ステッチ２５の中間部を、前記開口形成片１４ｃ，１６ｂと該形成片に折曲部を介して繋がるカバー１１の外表面とに亘って施した。このため、始端２５ａと終端２５ｂに止め縫いが施されていてもその部分が開口形成片１４ｃにより塞がれて露出しないので、外観の低下を防止することができるとともに、始端２５ａと終端２５ｂを解れ難くすることができる。仮に、解れが生じてもスリット状の開口１１ｂに収まることになるので、その解れが識別用ステッチ２５の露出部分に伝播するのを防止することができる。
【００３２】
（５）上記実施形態では、識別用ステッチ２５の始端２５ａ及び終端２５ｂが開口形成片１６ｂの途中で止められている。このため、カバー１１内へのクッション材１３の発泡時において、前記両開口形成片１４ｃ，１６ｂのステッチ２５が形成されていない部分が発泡合成樹脂原料により互いに圧接されてスリット状の開口１１ｂが閉塞され、発泡合成樹脂原料１３ａが識別用ステッチ２５によって生じる両開口形成片１４ｃ，１６ｂの隙間から漏出するのを防止することができる。
【００３３】
なお、上記実施形態は以下のように変更してもよい。
・図５又は図６に示すように搭乗者側の部分が下方へ突出した形状のヘッドレストに具体化してもよい。この場合には、識別用ステッチ２５が突出部分によって見え難くなるので、カバー１１の外観が損なわれるのを防止することができる。
【００３４】
・図７（ａ）〜（ｄ）に示すように、前記識別用ステッチ２５の形状を、例えば三日月状、長四角形状、円形状、あるいはアルファベットの記号等に変更してもよい。これらの場合には、識別用ステッチ２５の始端と終端に止め縫いを施す。
【００３５】
・前記識別用ステッチ２５を施す位置を、カバー１１の底面以外の任意の部位に設定してもよい。この場合には、識別用ステッチ２５が外部に露出されるが、識別用ステッチ２５を、一種の装飾用ステッチとして機能するようにデザインを考慮すれば、カバー１１の外観が損なわれるのを抑制することができる。
【００３６】
・前記カバーの開口形成片を省略し、カバー内に開口から予めカバーの外部で成形型により成形したクッション材を入れるようにしてもよい。
・前記実施形態では、第１〜第３カバー片１４〜１６を縫着してカバー１１を製造するようにしたが、二枚のカバー片又は四枚上のカバー片を縫着してカバー１１を製造するようにしり、一枚のカバー片からカバー１１を製造するようにしたりしてもよい。
【００３７】
・前述したヘッドレストに代えて、自動車の座席シートの側部に配設されるアームレストに具体化してもよい。又、座席シートのシートバックに具体化してもよい。さらに、その他のカバーの内部にクッション材及びインサート部材を収容した各種の成形品に具体化してもよい。
【図面の簡単な説明】
【００３８】
【図１】この発明をヘッドレストに具体化した一実施形態を示す後側から見た斜視図。
【図２】カバーを構成する第１〜第３カバー片の分離斜視図。
【図３】ヘッドレストを逆向きにした斜視図。
【図４】ヘッドレストの成形型を示す断面図。
【図５】この発明の別の実施形態を示すヘッドレストの斜視図。
【図６】この発明の別の実施形態を示すヘッドレストの斜視図。
【図７】（ａ）〜（ｄ）は、識別用ステッチの別の実施形態を示す平面図。
【符号の説明】
【００３９】
１１…カバー、１１ｂ…開口、１２…ヘッドレストステー、１２ａ…基端部、１２ｂ…脚部、１３…クッション材、１３ａ…発泡合成樹脂原料、１４〜１６…カバー片、１４ｃ，１６ｂ…開口形成片、２５…識別用ステッチ、２５ａ…始端、２５ｂ…終端、２６…遮蔽用粘着シート。
【図１】
2008029741.tif 000003
【図２】
2008029741.tif 000004
【図３】
2008029741.tif 000005
【図４】
2008029741.tif 000006
【図５】
2008029741.tif 000007
【図６】
2008029741.tif 000008
【図７】
2008029741.tif 000009